(57)【要約】【課題】番組毎に個別に録画指定しなくても放送映像を自動録画できる録画装置の提供を目的とする。【解決手段】録画したい番組を特徴づける検索キーワードを指定しておき、番組情報更新の都度、上記検索キーワードと照合することによって録画候補となる番組の予約テーブルを作成し、予約テーブルに記憶された放送開始時刻に録画候補番組の映像データを自動的に録画する放送映像自動録画装置。【効果】放送される映像のチャネル数が増加しても、ユーザが番組表を参照する必要なしに自動録画できる。【選択図】図１
2007300660.tif 000002
【特許請求の範囲】
【請求項１】
複数の放送映像の中から所望の映像を自動的に選択して録画する放送映像自動録画装置において、
ユーザが予め指定した検索キーワード群を予約識別子と対応付けて記憶するための手段と、
上記放送映像に関する番組情報を収集するための手段と、
上記番組情報と上記検索キーワード群と照合することによって録画対象となる番組を自動的に選択し、受信機を制御して、上記録画対象となった番組の受信映像を画像ファイルに蓄積するための制御手段とを備え、
上記検索キーワードの記憶手段が、ユーザから指定された複数組の検索キーワード群をそれぞれ異なる予約識別子と対応付けて記憶し、
上記制御手段が、上記録画対象となった番組の番組情報を上記予約識別子と関係づけて記憶し、上記画像ファイルに蓄積された各映像を上記予約識別子と対応付けられた録画ファイルとして管理することによって、ユーザに対して、表示画面上で、それぞれが異なる検索キーワード群に該当する受信映像を蓄積した複数の特集録画ファイルを提供し、画面に表示された複数の特集録画ファイルの中から、再生したい特集録画ファイルを予約識別子で指定可能にしたことを特徴とする放送映像自動録画装置。
【請求項２】
請求項１に記載の放送映像自動録画装置において、
前記番組情報が前記録画対象番組のチャネル識別情報と放送時刻情報とを含み、前記制御手段が上記チャネル識別情報と放送時刻情報とに基いて受信機の出力を制御し、受信映像を前記画像ファイルに蓄積することを特徴とする放送映像自動録画装置。
【請求項３】
複数チャネルの放送映像情報と番組情報とを受信し、番組情報と特定チャネルの映像信号を選択的に出力する受信機と、上記受信機から出力された映像情報を蓄積するための蓄積手段と、表示手段と、ユーザによって操作されるデータ入力手段と、上記受信機および上記各手段に結合された録画制御プロセッサとからなり、
上記録画制御プロセッサが、
上記データ入力手段から入力された検索キーワード群を記憶するためのメモリを有し、
上記受信機から出力された番組情報と上記検索キーワード群とを照合して自動録画すべき映像を選択し、該選択された映像の番組情報に基いて上記受信機と蓄積手段を制御することによって、上記蓄積手段に映像情報を自動的に蓄積し、
上記データ入力手段からユーザによって入力された複数組の検索キーワード群をそれぞれ異なる予約識別子と対応づけて上記メモリに記憶し、上記蓄積手段に蓄積された映像を上記予約識別子と対応付けられた録画ファイルとして管理することによって、ユーザに対して、表示画面上で、それぞれが異なる検索キーワード群に該当する受信映像を蓄積した複数の特集録画ファイルを提供し、画面に表示された複数の特集録画ファイルの中から、再生したい特集録画ファイルを予約識別子で指定可能にしたことを特徴とする放送映像自動録画装置。
【請求項４】
請求項３に記載の放送映像自動録画装置において、
前記録画制御プロセッサが、前記選択された映像の番組情報を記憶するためのメモリを有し、上記番組情報として含まれるチャネル識別情報と放送時刻情報とに基いて前記受信機および蓄積手段を制御することを特徴とする放送映像自動録画装置。
【請求項５】
放送された複数チャネルの映像情報を受信し、選択された特定チャネルの映像情報に出力する映像受信手段と、上記各チャネルにおける放送番組情報を収集するための番組情報収集手段と、上記受信手段から出力された映像情報を蓄積するための蓄積手段と、上記各手段に結合された制御プロセッサと、上記制御プロセッサに結合されたデータ入力手段とからなり、
上記録画制御プロセッサが、
ユーザによって上記データ入力手段から入力された複数組の検索キーワード群をメモリ上に形成される第１のテーブルにそれぞれ異なる予約識別子と対応づけて記憶するための第１のプログラムと、
上記番組情報収集手段から供給された番組情報をメモリ上に形成される第２のテーブルに記憶するための第２のプログラムと、
上記第１のテーブルと第２のテーブルとを照合して録画すべき番組を選択し、該選択された番組の番組情報をメモリ上に形成される第３のテーブルに上記予約識別子と対応づけて記憶するための第３のプログラムと、
上記第３のテーブルに記憶された番組情報に基いて上記受信機を制御するための第４のプログラムとを備え、
上記制御プロセッサが、上記各プログラムを実行することによって、上記蓄積手段に上記検索キーワード群と関係した映像情報を自動的に蓄積し、
上記第４のプログラムが、上記蓄積手段に蓄積される映像情報を上記予約識別子と対応付けられた複数の録画ファイルとして管理することによって、
ユーザに対して、表示画面上で、それぞれが異なる検索キーワード群に該当する受信映像を蓄積した複数の特集録画ファイルを提供し、画面に表示された複数の特集録画ファイルの中から、再生対象となる特集録画ファイルを予約識別子で指定可能にしたことを特徴とする放送映像自動録画装置。
【請求項６】
請求項５に記載の放送映像自動録画装置において、
前記受信手段が、複数チャネル分の映像情報と番組情報とを含む多重化信号を受信し、前記収集手段が、上記受信手段から番組情報を受けることを特徴とする放送映像自動録画装置。
【請求項７】
請求項５に記載の放送映像自動録画装置において、
前記制御プロセッサが、前記蓄積手段における映像情報の蓄積状況を上記予約識別子と対応づけてグラフ化して出力表示するための第５のプログラムを備えることを特徴とする放送映像自動録画装置。
【発明の詳細な説明】
【技術分野】
【０００１】
本発明は放送映像自動録画装置に関し、特に、ディジタル放送されたテレビ番組の自動録画に適した放送映像自動録画装置に関する。
【背景技術】
【０００２】
テレビ番組を予約録画する場合、通常は、視聴者自身が新聞や雑誌等に掲載されたテレビ番組欄を参照して録画したい番組を選び、ビデオデッキに番組の放送日時とチャネル、または各番組に割り当てられた識別コードを入力設定することによって行われる。
通信衛星によるディジタル放送では、例えばＥＰＧと呼ばれる電子番組ガイドが放送されているため、ＥＰＧ受信機能を備えた特殊な受信機を使うことによって、テレビ画面上で番組表を見ることができる。
【発明の開示】
【発明が解決しようとする課題】
【０００３】
然るに、ＣＳ放送やＣＡＴＶの普及に伴うディジタル放送の本格化により、受信可能なテレビチャネル数が１００チャネルを超える時代になると、番組情報が膨大になるため、視聴者が上述した新聞、雑誌や電子番組ガイド番組表を参照して番組を取捨選択する方式では、番組表の見落しにより、見たい番組が予約漏れとなってしまう可能性が高い。また、現在の地上波放送のように放送チャネル数が少ない場合でも、視聴者自身が事前に番組表を見なかったため、気づいた時点では既に所望の放送が終わってという事態が多々経験されている。
【０００４】
本発明の第１の目的は、視聴者自身が番組表をその都度参照しなくても所望の番組を自動的に録画できる放送映像自動録画装置を提供することにある。
本発明の第２の目的は、テレビチャネル数が増加した場合でも、視聴者が所望する番組を自動的に録画できる放送映像自動録画装置を提供することにある。
本発明の第３の目的は、互いに関連性の高い複数の番組を時系列的に再生するのに適した放送映像自動録画装置を提供することにある。
【課題を解決するための手段】
【０００５】
上記第１、第２の目的を達成するために、本発明による放送映像自動録画装置は、ユーザが予め指定した検索キーワードを記憶するための手段と、上記放送映像に関する番組情報を収集するための手段と、上記番組情報と上記検索キーワードと照合することによって録画対象となる番組を自動的に選択し、受信機を制御して、上記録画対象となった番組の受信映像を画像ファイルに蓄積するための制御手段とを備えたことを特徴とする。
【０００６】
また、上記第３の目的を達成するために、本発明による放送映像自動録画装置では、上記検索キーワード記憶手段が、検索キーワードを予約識別子と対応して記憶し、上記制御手段が、録画対象となった番組の番組情報を上記予約識別子と関係づけて記憶しておき、画像ファイルに蓄積された各映像を上記予約識別子と対応づけて管理することを特徴とする。
【０００７】
更に具体的に述べると、本発明による放送映像自動録画装置は、例えば、複数チャネルの放送映像情報と番組情報とを受信し、番組情報と特定チャネルの映像信号を選択的に出力する受信機と、上記受信機から出力された映像情報を蓄積するための蓄積手段と、表示手段と、ユーザによって操作されるデータ入力手段と、上記受信機および上記各手段に結合された録画制御プロセッサとからなり、上記録画制御プロセッサが、上記データ入力手段から入力された検索キーワードを記憶するためのメモリを有し、上記受信機から出力された番組情報と上記検索キーワードとを照合して自動録画すべき映像を選択し、該選択された映像の番組情報に基いて上記受信機と蓄積手段を制御することによって、上記蓄積手段に映像情報を自動的に蓄積することを特徴とする。
【０００８】
本発明の１実施例によれば、上記録画制御プロセッサは、選択映像の番組情報を記憶するためのメモリを有し、上記番組情報として含まれるチャネル識別情報と放送時刻情報との基いて上記受信機および蓄積手段を制御する。また、上記録画制御プロセッサは、映像の蓄積状況を予約識別子と対応づけて表示手段に表示するための機能を有し、例えば、上記蓄積手段における映像の蓄積状況を上記予約識別子と対応した図形でグラフ化して表示することによって、ユーザによる録画状況の把握を容易にしている。
【発明の効果】
【０００９】
本発明によれば、予めキーワードを登録しておくことによって、所望の番組を自動録画できるため、ユーザが番組表を見て番組別に録画操作する不便さがなくなる。また、検索キーワード群を録画ファイル識別子（予約番号）と対応づけて登録し、検索された各番組を上記録画ファイル識別子と対応づけてデータ管理しておくことによって、蓄積映像データを上記キーワードで特徴づけられた幾つかの特集ファイルとしてユーザに提供でき、ユーザに上記特集ファイル毎の映像再生を可能とする。
【発明を実施するための最良の形態】
【００１０】
以下、本発明の実施例を図面を参照して説明する。
図１は、本発明による放送映像自動録画装置の１実施例を示すブロック図であり、図において、１はアンテナ２からテレビ放送を受信するための受信機、３は、上記受信機１から信号線Ｌ１、Ｌ２に出力される映像信号と音声信号とを受信し、受信ＡＶ（映像および音声）として出力するＡＶ出力装置である。本実施例では、図２で詳述するように、映像、音声情報と共にアンテナ２から受信される放送番組情報を受信機１で分離し、信号線Ｌ３を介して抽出回路４に入力する。抽出回路４は、上記放送番組情報からチャネル番号、放送日時、各番組を特徴づけるキーワード（以下、メタデータという）等の番組データを抽出し、信号線Ｌ４に出力する。
【００１１】
５は、上記抽出回路４で抽出された番組データをテーブル形式で蓄積するための番組情報ファイル、６Ａ、６Ｂは、それぞれ受信機１から出力された映像信号と音声信号をディジタル化するためのＡ／Ｄ変換回路、７は、上記Ａ／Ｄ変換器でディジタル化された映像と音声を蓄積するための録画ファイル、８Ａ、８Ｂは、それぞれ上記録画ファイル７から読み出されたディジタル化された映像と音声をアナログ信号に変換するためのＤ／Ａ変換器であり、 Ｄ／Ａ変換器８Ａ、８Ｂから出力された映像信号と音声信号はＡＶ出力装置３に入力され、録画映像として出力される。
【００１２】
９は、自動録画に必要な制御動作を行うプロセッサ、１０は、上記プロセッサが実行する各種のプログラムを格納するためのプログラムメモリ、１１は、後述する各種のデータテーブルを格納するためのデータメモリ、１２は、データおよびコマンド入力のために使用されるキーボード、１３は、上記出力装置３の表示画面上でカーソルを移動し、画面上に表示されたアイコンあるいはコマンドを選択するために使用されるマウス装置であり、１４は、上述した各種の要素を接続する内部バス１４を示す。
【００１３】
図２は、放送映像自動録画装置に適用される受信機１の１例を示す。
ここでは、受信機１が選局する各搬送周波数において、番組情報と複数チャネル分の映像と音声情報がそれぞれパケット多重して放送される場合について説明する。
【００１４】
受信機１は、アンテナ２に接続されたチューナ２１と、チューナ２１の出力信号をディジタル信号に変換するＡ／Ｄ変換器２２と、上記Ａ／Ｄ変換器２２の出力信号を復調（例えば、ＱＰＳＫ復調）し、誤り訂正する復調・訂正回路２３と、上記復調・訂正回路２３から出力されたデータストリーム中に含まれる暗号化されたパケットについて、スクランブルを解除するためのデスクランブル回路２４と、スクランブル解除されたデータ（パケット）ストリームの中から、番組情報パケットと、目的とする番組の映像、音声パケットを取り出すためのパケット分離回路２５とを備える。
【００１５】
上記パケット分離回路２５で取り出された番組情報パケットは、信号線Ｌ３に出力され、目的番組の映像パケットと音声パケットは復号回路２６に供給され、上記復号回路２６において、これらのパケット中に含まれる、例えばＭＰＥＧ規格で符号化された映像、音声データが復号化される。上記復号回路２６から出力されたディジタル映像信号と音声信号は、それぞれ映像用および音声用のＤ／Ａ変換器２７、２８でアナログ信号に変換された後、信号線Ｌ１、Ｌ２に出力される。
【００１６】
受信機１は、更に、上述した要素２１〜２６を接続する内部バス２９と、上記内部バスに接続された受信機プロセッサ３０、プログラムメモリ３１、データメモリ３２およびインタフェース３３を有し、図１に示したプロセッサ９からの指令が、上記インタフェース３３を介して受信機プロセッサ３０に与えられ、プロセッサ９が指定する任意チャネルの映像、音声信号を信号線Ｌ１、Ｌ２に取り出せるようになっている。尚、図２と同様の構成を持つ受信機については、例えば、映像情報メディア学会誌  Vol.51、No.9、pp 1364〜1369に紹介されている。
【００１７】
次に、データメモリ１１と番組情報ファイル５に形成される各種のデータテーブルについて説明する。
図３は、メモリ１１に形成される検索キーワードテーブル６０を示す。
検索キーワードテーブル６０は、複数のレコード６０−１、６０−２、．．．．からなり、各レコードは、予約番号６１と、これと対応する複数の検索キーワード６２とを含む。この場合の検索キーワードとしては、例えば、番組のジャンルを示す用語、映画やドラマのタイトル名、歌手や俳優の名前、スポーツの種類、チーム名などが挙げられる。
上記検索キーワードテーブル６０は、キー入力処理プログラム１００によって生成された入力画面上で、ユーザがキーボード１２またはマウス２３を操作し、予約番号と検索キーワードを入力することによって作成される。
【００１８】
図４は、番組ファイル５に形成される番組情報テーブル７０を示す。
番組情報テーブル７０の各レコード７０−１、７０−２、．．．．は、チャネル番号７１と、放送日時（開始時刻と終了時刻）データ７２と、番組の内容を示す複数の用語（メタデータ）７３とからなり、これらのデータは、抽出回路４によって番組情報パケットから抽出される。
【００１９】
番組情報は、各データストリームの番組情報パケットによって、例えば、１週間分の情報を日毎に更新する形式で繰り返して放送される。放送周波数帯域をｍ分割し、各周波数でパケット多重によってＮチャネル分の映像が放送された場合、合計でＮ×ｍチャネルの映像が受信可能となる。ここで、１つの周波数で搬送されるデータストリーム中の番組情報パケットが、そのデータストリームで放送されるＮチャネル分の番組情報を含む場合、上記周波数帯域の全てのチャネルの番組情報を収集するためには、チューナ２１で受信周波数を切替ながら番組情報を抽出する必要がある。これに対して、どの周波数のデータストリームでも番組情報パケットがＮ×ｍチャネル分の全ての番組情報を含むようにしておけば、周波数を切り替えることなく、任意に選局された周波数で全ての番組情報を収集できる。
【００２０】
番組情報更新プログラム２００は、放送される番組情報の更新頻度に応じた周期で定期的に実行され、信号線Ｌ７を介して抽出回路４を起動する。１つのデータストリームで全ての番組情報を提供する放送形式に場合は、一定期間内に上記抽出回路４から出力されるデータを整理することによって、番組情報テーブル７０を編集できる。また、受信周波数の切替を必要とする放送形式の場合は、信号線Ｌ７を介して受信機１に周波数の切替を指令し、各周波数毎に上述した動作を繰り返すことによって、番組情報テーブル７０を編集できる。
【００２１】
図５は、検索キーワードテーブル６０と番組情報テーブル７０とを照合して生成される録画予約テーブル８０の構成を示す。
録画予約テーブル８０は複数の予約レコード８０−１、８０−２、．．．．．からなり、各予約レコードは、例えば、予約番号８１、チャネル番号８２、放送日時（放送開始時刻と終了時刻）８３、メタデータ８４、一致率８５、状態コード８６を含む。予約番号８１は、検索キーワードテーブル６０に登録された予約番号６１と同一のものであり、チャネル番号８２、放送日時８３およびメタデータ８４等の番組情報は、番組情報テーブル７０からの複写データされる。なお、上記メタデータ８４に代えて、メタデータと一致した検索キーワードを記憶するようにしてもよい。一致率８５は、検索キーワードテーブル６０に登録された検索キーワード６２と番組情報テーブル７０に含まれるメタデータ７３との照合結果を示す。
【００２２】
状態コード８６は、各予約レコードの状態を示し、初期状態では“０”としておく。例えば、１つの番組に付随するメタデータが検索キーワードテーブル６０に登録された複数の予約番号において検索条件を満した場合、録画予約テーブル８０には番組が同一で予約番号が異なる複数のレコードが形成される。この場合、予約番号の最も小さいレコードを録画管理対象として残しておき、番組が同一の他のレコードでは、状態コードを“１”「重複あり」としておく。また、録画予約テーブルの内容を表示した時、ユーザから取り消しを指定されたレコードについては、状態コードを“２”「録画取り消し」とし、録画中の番組のレコードは“３”「録画中」、録画を終了したレコードは“４”「録画済み」とする。
尚、図５では、予約レコードが予約番号順に配列して示してあるが、予約レコードの配列は、例えば、放送開始時刻順、予約番号順としてもよい。
【００２３】
図６は、上記録画予約テーブル８０を更新する録画予約更新プログラム３００のフローチャートを示す。
録画予約更新プログラム３００は、検索キーワードテーブル６０の内容が変更された時、および番組情報テーブル７０が更新された時に自動的に実行され、先ず、録画予約テーブル８０から不要レコードを削除する（ステップ３０１）。ここで、削除対象となるレコードは、録画済みレコード（状態コード“４”）と、重複レコード（状態コード“１”）で放送終了時刻を過ぎたものである。次に、検索キーワードテーブル６０と番組情報テーブル７０とを照合して、新たに検索された番組について録画予約テーブル８０にレコードを追加（ステップ３０２）し、録画予約テーブルの修正処理を行う（ステップ３０３）。
【００２４】
修正処理ステップ３０３では、例えば、登録予約テーブル８０のレコードを放送日時順、予約番号順にソートし、放送時間が他の番組と全面的または部分的に重複するレコードがあった場合は、番組が同一の場合を除き、そのうちの１つを残して、これと重複する他のレコードを削除する。
【００２５】
例えば、予約番号が優先度順に設定されている場合は、予約番号の若いレコードを残し、これと放送時間が重なる他のレコードを削除する。同一予約番号で、時間的に重なる複数のレコードが存在する場合は、放送開始時刻の速いもの、あるいは一致率の高い番組を優先させてもよい。また、予約番号の数値とは無関係に優先度を割り当てた場合は、優先度情報を検索キーワードテーブル６０に記憶しておき、録画予約テーブル８０の各レコードが上記優先度情報を含むようにすれば、上述したレコード選択を上記優先度情報を利用して行うことができる。また、放送時間の長い１つの番組を残して、短時間の多数の番組を犠牲にするより、１つの番組を犠牲にして多数の番組を見たいユーザもいるため、放送時間が重なる複数の番組の中でどれを優先させるかの決定ルールは、ユーザ毎に指定できるようにすることが望ましい。
上述した放送時間重複チェック後のテーブル８０において、番組が同一のレコードを検出し、状態コードを「重複」を示す“１”に設定する。これによって、録画可能な番組が放送開始時刻順にレコード配列された録画予約テーブル８０が得られる。
【００２６】
図７は、上記録画予約更新プログラム２００における検索キーワードテーブル６０と番組情報テーブル７０との照合ステップ３０２の詳細を示す。
検索キーワードテーブル６０の各レコードは、番組情報テーブル７０の全てのレコードと照合され、キーワード６２とメタデータ７３との一致率に基いて、録画予約すべき番組か否かが判定される。
【００２７】
図７において、記号∀は、データあるいはレコードが複数個ある場合に、変数の値を変えて、これらのデータあるいはレコードを順次に選択することを意味しており、例えば、ステップ３１０は、変数ｔの値を変えることによって、検索キーワードテーブル６０に登録された各レコード（６０−ｔ）を次々と指定し、検索キーワードテーブル６０に登録された全てのレコードについて、以下の手順３１１〜３１７を繰り返すことを意味している。
【００２８】
先ず、一致率を示す変数ｎの値を初期値０に設定（ステップ３１１）した後、番組情報テーブル７０のレコード７０−ｉに登録された全てのメタデータ７３について（ステップ３１２）、上記検索キーワードレコード６０−ｔに登録された全てのキーワード６２（ステップ３１３）と順次に比較し（ステップ３１４）、一致した場合は、変数ｎに１を加算する（ステップ３１５）。１つの検索キーワードレコード６０−ｔの全てのキーワードについて、番組情報レコード７０−ｉの全てのメタデータとの照合が完了した時、一致数を示す変数ｎの値を評価関数によって評価し（ステップ３１６）、評価結果が正の場合に、上記番組情報レコード７０−ｉを録画予約テーブル８０に登録する（ステップ３１７）。この場合、録画予約テーブル８０をチェックし、同一のレコードが存在しない場合にのみ、新たなレコードとして登録する。
【００２９】
上記評価関数がｎの場合、検索キーワードと一致するメタデータが１個以上の番組が録画対象となる。評価関数がｎ−Ｔの場合は、一致個数ｎが閾値Ｔ以上の番組が録画対象となる。また、評価関数をｎ／Ｎi−Ｔiまたはｎ／Ｋjt−Ｔjt（但し、Ｎiは番組情報レコード７０−ｉに登録されたメタデータの個数、Ｋjtは検索キーワードレコード６０−ｔに登録された検索キーワードの個数、Ｔｉ、Ｔjtは閾値）とした場合、メタデータ数またはキーワード数に対して一定比率以上の一致があった番組が登録対象となる。
尚、各検索キーワードに予め重みＷjtを与えておき、これを検索キーワードテーブル６０に記憶するようにしておき、一致キーワードの重みを加算して一致度ｎを算出するようにしてもよい。
【００３０】
図８と図９は、後述する自動録画プログラム４００によってデータメモリ１１に形成される録画管理テーブル９０と録画関連情報テーブル９５を示す。
録画管理テーブル９０は、予約番号９１と、画像ファイル７に蓄積された各映像（音声を含む）のファイル名称９２との関係を示す複数のレコード９０−１、９０−２、．．．からなり、レコード９０−２と９０−３が示すように、同一の番組が予約番号の異なる複数の検索条件に合致した場合、それぞれ別々のレコードが生成される。録画関連情報テーブル９５は、録画ファイル名称９２と番組情報との関係を記憶するためのものであり、この例では、番組情報として、録画予約情報テーブル８０から得られる放送日時９３とメタデータ９４とを含んでいる。
【００３１】
図１０は、自動録画プログラム４００のフローチャートを示す。
自動録画プログラム４００は、録画予約更新プログラム３００の実行終了時、または後述する録画開始タイマからの割り込み発生時に実行される。先ず、録画終了タイマがセット状態か否をチェックする（ステップ４０１）。録画終了タイマは、録画中の番組が終了した時点でタイマ割り込みを発生するために使用されるものであり、上記録画終了タイマがセット状態にあると言うことは、現在、録画ファイル７に映像データが録画中であることを意味しており、この場合は、何もせずに、このプログラムを終了する。
【００３２】
録画終了タイマがセット状態でない場合は、録画予約テーブル８０を参照して、録画を開始すべき番組（以下、録画候補と言う）があるか否かをチェックする〈ステップ４０２〉。録画候補は、録画予約テーブル８０の放送日時８３に記憶されている放送開始時刻と現在時刻とを比較し、放送開始時刻に至った番組か否かで判断する。録画候補がなければ、ステップ４０８に進んで次の録画候補を検索する。
【００３３】
ステップ４０２で録画候補があった場合は、チャネル番号８２を指定して、信号線Ｌ８を介して受信機１に録画開始を指令する。図５では、録画予約された各番組が、チャネル番号８２と放送日時８３で特定できるものとしているが、受信機１が、番組の特定に選局周波数指定を必要とする場合は、各録画予約レコード８０−ｉに周波数識別子も記憶しておき、上記録画開始指令の際に受信機１に受信周波数を指示すればよい。
【００３４】
受信機１は、上記録画指令を受けると、チューナ２１を目的の周波数に合わせ、パケット分離回路２５で、受信データストリームから指定チャネルの映像パケットと音声パケットを分離し、信号線Ｌ１、Ｌ２に録画すべき音声信号と映像信号を出力する。これらの信号は、Ａ／Ｄ変換器６Ａ、６Ｂでディジタル信号に変換され、録画ファイルに記憶される。
【００３５】
この時、録画番組に対して新たなファイル名９２が与えられ、録画予約テーブル８０の上記録画候補に該当したレコードの内容と上記ファイル名９２とに基いて、録画管理テーブル９０と録画関連情報テーブル９５に上記録画番組を示す新たなレコードが追加される（ステップ４０５）。また、上記録画予約テーブル８０において、上記録画候補の状態コード８６が録画中を示すコードに変更され（ステップ４０６）、上記録画候補のレコードに記憶されている放送終了時刻が録画終了タイマに設定される（ステップ４０７）。
【００３６】
ステップ４０８では、録画予約テーブル８０から、放送開始時刻が現在時刻に最も近い次の録画候補を検索する。もし、これに該当する録画予約レコードがなければ、このプログラムを終了する。次の録画候補に該当する録画予約レコードがあれば、そのレコードに記憶されている放送開始時刻を録画開始タイマにセットして（ステップ４１０）、このプログラムを終了する。
【００３７】
上述したように、自動録画プログラム４００を実行したとき、次の録画候補について録画開始タイマを設定することによって、録画開始時刻にタイマ割り込みを発生させることができ、上記録画開始タイマからの割り込み発生時に、ステップ４０４の録画開始指令を実行するようにすれば、録画予約テーブル８０の登録レコードの中から次々と録画候補を選択し、且つ、タイマ割り込みで録画指令を発生できる。
【００３８】
録画終了タイマから割り込み発生した場合は、図１１に示すように、受信機１に録画終了指令を発行し、録画ファイル７でのデータ蓄積動作を停止する（ステップ４５１）。上記録画終了タイマは、次の録画候補の録画開始時に新たな時刻が設定されるため、番組情報として提供された放送日時（放送開始時刻と終了時刻）に従って、録画動作の自動的な開始と終了を交互に繰り返すことができる。
【００３９】
録画予約テーブル８０に登録された全てのレコードについて、録画動作を完了した場合でも、録画予約更新プログラム３３で上記録画予約テーブル８０に新たな予約レコードが追加された時点で、自動録画プログラム４００が実行されるため、録画ファイル７には次々と新た番組の映像を蓄積できる。また、上記録画ファイル７への新たな映像（番組）の蓄積の都度、図８、図９に示した録画管理テーブル９０と録画関連情報テーブル９５に新たなレコードが追加され、各予約番号と対応して、各ユーザに固有の録画ファイルが構成される。
【００４０】
画像ファイル７における映像データの蓄積状況は、上記録画管理テーブル９０と録画関連情報テーブル９５の内容をＡＶ出力装置３の表示画面に適当な表示形式で出力することによって、ユーザに伝えることができる。更には、上記蓄積状況表示画面でユーザが番組を特定した場合は、その番組に対応したファイル名で画像ファイル７をアクセスすることによって、また、ユーザが予約番号を特定した場合は、その予約番号と対応するファイル名で次々とアクセスすることによって、上記画像ファイル７から蓄積映像を読み出し、これを表示画面に出力することができる。
【００４１】
図１２は、画像ファイルにおける映像データの蓄積状況を示す録画状況表示画面の１例を示す。
図（Ａ）において、１１０は、表示画面あるいは表示画面の１部に形成されたウインドウであり、１１１は画面のタイトル、１１２（１１２−１〜１１２−６）は、予約番号６１および９１と対応した録画ファイルの表す円筒図形（アイコン）を示す。
この実施例では、各円筒図形１１２が、図（Ｂ）に示すように、斜線で示した現在のデータ蓄積量１１２Ａと白抜きで示したメモリ残量１１２Ｂとからなるグラフ表示となっており、各円筒図形１１２には、予約番号を示す数字１１３と、上記円筒の全長１１２Ｃに相当する録画時間を示す数字１１４Ｃと、データ蓄積量１１２Ａに相当する録画時間を示す数字１１４Ａが付されている。
【００４２】
このように、画像ファイル７における映像の蓄積状況を予約番号対応の図形でグラフ表示することによって、ユーザに対して、録画状況を一目で判断し、録画再生すべきファイルを簡単に指定できる操作環境を提供できる。尚、蓄積データ量を予約番号別のファイルでグラフ表示する場合、各予約番号毎に予めファイル容量（録画時間）を割り当てておく必要があるが、これは、検索キーワードの入力画面で画像ファイル７の概略的な録画容量（録画時間）を表示しておき、検索キーワードの登録の際にユーザに各予約番号毎の録画ファイル容量を指定させ、これを検索キーワードテーブル６０に記憶しておけばよい。これに代わる方法として、画像ファイル７の蓄積容量を予約済みの録画ファイル個数で均等に按分し、各録画ファイルの蓄積データ量を棒グラフ表示してもよい。
【００４３】
新たな予約番号での録画ファイルの形成や、既登録検索キーワードの修正を上記録画状況表示画面１１０を利用して行うようにしてもよい。例えば、表示された複数の円筒図形（アイコン）のうちの１つ１１２−ｉをカーソルで指定し、ユーザがマウスをダブルクリックした場合は、指定アイコンが示す予約番号での検索キーワードの入力画面を表示し、マウスをクリックした場合は、上記予約番号を持つ録画ファイルの蓄映像に関する番組情報の表示画面を出力するようにすればよい。
【００４４】
検索キーワードの入力画面では、キーボード１２からユーザに任意のキーワードを入力させることができる。キーボードからの入力操作に代えて、図１３に示すように、予め用意されたキーワード群を入力画面１２０に表示しておき、この中からユーザがマウス操作で用語選択する方式としてもよい。
図１３において、１２１は予約番号の表示領域、１２２Ａ、１２２Ｂは、上記表示領域１２１に表示された予約番号をアップ、ダウン操作するためのボタン領域、１２３−１〜１２３−４はキーワードの一例を示す。この実施例では、最初の入力画面で番組のジャンル名を表す複数の用語を表示しておき、そのうちの１つが選択された時、そのジャンルに関係した用語群が次の画面で表示され、必要に応じて画面をスクロールしながら、ユーザにキーワード用語を次々と指定させる。この場合、例えば、用語１２３−３に示すように、各入力画面においてユーザが選択した用語を反転表示すれば、ユーザによる入力済みキーワードの把握が容易になる。
【００４５】
図１４は、録画ファイルの蓄積映像に関する番組情報の表示画面１３０の１例を示し、１３１は予約番号の表示領域、１３２は録画された番組情報の表示領域、１３３は録画映像の再生を指示するためのボタン領域である。
【００４６】
図１２に示した録画状況表示画面１１０において、録画ファイルを示す何れかのアイコン１１２−ｉがクリックされた場合は、このアイコンと対応する予約番号が番号表示領域１３１に表示され、録画管理テーブル９０と録画関連情報テーブル９５を検索して得られる上記予約番号と対応する録画ファイルの番組情報（例えば、放送日時９３とメタデータ９４）が上記番組情報表示領域１３２に表示される。
【００４７】
一方、上記録画状況表示画面１１０で画面タイトル領域１１１がクリックされた場合は、上記番号表示領域１３１には、画像ファイル７の全体を意味する文字列、例えば“ＡＬＬ”が表示され、上記番組情報表示領域１３２には、録画関連情報テーブル９５に記憶された全ての録画ファイルの番組情報が表示される。尚、抽出回路４が、アンテナで受信される番組情報パケットから、番組タイトルを他の一般のメタデータと区別して抽出できる場合は、テーブル８０および９５において上記番組タイトルを別項目として記憶しておき、表示領域１３２にこれを表示するようにすればよい。
【００４８】
ユーザが、上記番組情報表示画面１３０において、表示領域１３２に表示された何れかの番組レコードを指定して再生ボタン領域１３３をクリックした場合、指定された番組の録画映像を画像ファイル７から読出し、表示画面に出力する。全ての番組を指定して再生ボタンがクリックされた場合、あるいは、番組レコードを指定することなく再生ボタンがクリックされた場合は、表示領域１３２にある全ての番組を順次に画像ファイルから読み出して、表示画面に出力する。
【００４９】
尚、再生された映像データについては、画像ファイル７から自動的に消去するようにしてもよいが、上記番組情報表示画面１３０の表示領域１３２に、データ消去を指定するエリアを設けておき、再生後にユーザが指定した番組について、画像ファイル７とテーブル９０、９５から録画データと管理データを削除するようにしてもよい。
【００５０】
以上の実施例では、映像情報（含む音声）と番組情報とが１つの受信機１で受信される場合について説明したが、番組情報が映像情報とは別の通信媒体あるい搬送周波数で供給される場合、番組情報専用の受信装置を設ければよい。また、実施例では、映像情報と番組情報とがアンテナから入力される場合について説明したが、これらの情報はインターネットやＣＡＴＶ等の回線から供給されてもよい。
【図面の簡単な説明】
【００５１】
【図１】本発明による放送映像自動録画装置の１実施例を示すブロック図。
【図２】上記放送映像自動録画装置の受信機１の構成の一例を示す図。
【図３】検索キーワードテーブル６０の構成の１例を示す図。
【図４】番組情報テーブル７０の構成の１例を示す図。
【図５】録画予約テーブル８０の構成の１例を示す図。
【図６】録画予約プログラム３００の機能を示すフローチャート。
【図７】録画予約プログラム３００における検索ステップ３０２の詳細を示す図。
【図８】録画管理テーブル９０の構成の１例を示す図。
【図９】録画関連情報テーブル９５の構成の１例を示す図。
【図１０】自動録画プログラム４００の機能を示すフレーチャート。
【図１１】録画終了プログラムの機能を示すフローチャート。
【図１２】録画状況表示画面１１０の１例を示す図。
【図１３】検索キーワード入力画面の１例を示す図。
【図１４】蓄積映像に関する番組情報の表示画面の１例を示す図。
【符号の説明】
【００５２】
１：受信機、２：アンテナ、３：ＡＶ出力装置、４：番組情報の抽出回路、
５：番組情報（メタデータ）ファイル、６：Ａ／Ｄ変換器、７：Ｄ／Ａ変換器、
８：録画ファイル、９：プロセッサ、１０：プログラムメモリ、
１１：データメモリ、１２：キーボード、１３：マウス、
６０：検索キーワードテーブル、７０：番組情報テーブル、
８０：録画予約テーブル、９０：録画管理テーブル、
９５：録画関連情報テーブル。
【図１】
2007300660.tif 000003
【図２】
2007300660.tif 000004
【図３】
2007300660.tif 000005
【図４】
2007300660.tif 000006
【図５】
2007300660.tif 000007
【図６】
2007300660.tif 000008
【図７】
2007300660.tif 000009
【図８】
2007300660.tif 000010
【図９】
2007300660.tif 000011
【図１０】
2007300660.tif 000012
【図１１】
2007300660.tif 000013
【図１２】
2007300660.tif 000014
【図１３】
2007300660.tif 000015
【図１４】
2007300660.tif 000016
【手続補正書】
【提出日】平成19年6月20日(2007.6.20)
【手続補正１】
【補正対象書類名】明細書
【補正対象項目名】００１１
【補正方法】変更
【補正の内容】
【００１１】
５は、上記抽出回路４で抽出された番組データをテーブル形式で蓄積するための番組情報ファイル、６Ａ、６Ｂは、それぞれ受信機１から出力された映像信号と音声信号をディジタル化するためのＡ／Ｄ変換回路、７は、上記Ａ／Ｄ変換器でディジタル化された映像と音声を蓄積するための画像ファイル、８Ａ、８Ｂは、それぞれ上記画像ファイル７から読み出されたディジタル化された映像と音声をアナログ信号に変換するためのＤ／Ａ変換器であり、 Ｄ／Ａ変換器８Ａ、８Ｂから出力された映像信号と音声信号はＡＶ出力装置３に入力され、録画映像として出力される。
【手続補正２】
【補正対象書類名】明細書
【補正対象項目名】００３４
【補正方法】変更
【補正の内容】
【００３４】
受信機１は、上記録画指令を受けると、チューナ２１を目的の周波数に合わせ、パケット分離回路２５で、受信データストリームから指定チャネルの映像パケットと音声パケットを分離し、信号線Ｌ１、Ｌ２に録画すべき音声信号と映像信号を出力する。これらの信号は、Ａ／Ｄ変換器６Ａ、６Ｂでディジタル信号に変換され、画像ファイルに記憶される。
【手続補正３】
【補正対象書類名】明細書
【補正対象項目名】００３９
【補正方法】変更
【補正の内容】
【００３９】
録画予約テーブル８０に登録された全てのレコードについて、録画動作を完了した場合でも、録画予約更新プログラム３３で上記録画予約テーブル８０に新たな予約レコードが追加された時点で、自動録画プログラム４００が実行されるため、画像ファイル７には次々と新た番組の映像を蓄積できる。また、上記画像ファイル７への新たな映像（番組）の蓄積の都度、図８、図９に示した録画管理テーブル９０と録画関連情報テーブル９５に新たなレコードが追加され、各予約番号と対応して、各ユーザに固有の録画ファイルが構成される。
【手続補正４】
【補正対象書類名】図面
【補正対象項目名】図１
【補正方法】変更
【補正の内容】
【図１】
2007300660.tif 000017
【手続補正５】
【補正対象書類名】図面
【補正対象項目名】図４
【補正方法】変更
【補正の内容】
【図４】
2007300660.tif 000018
【手続補正６】
【補正対象書類名】図面
【補正対象項目名】図１２
【補正方法】変更
【補正の内容】
【図１２】
2007300660.tif 000019